(57)【特許請求の範囲】
【請求項１】
第１給電回路への第１電力配分装置インフィードおよび第２給電回路への第２電力配分装置インフィードの相互接続を記述する少なくとも一つの回路記述を受信する回路記述受信インターフェースと、
前記第１電力配分装置インフィードに関する第１電力使用量データおよび前記第２電力配分装置インフィードに関する第２電力使用量データを受信する電力使用量通信インターフェースと、
受信した少なくとも一つの前記回路記述、前記第１電力使用量データ及び前記第２電力使用量データを保存するメモリサブシステムと、
前記回路記述受信インターフェース、前記電力使用量通信インターフェースおよび前記メモリサブシステムと相互接続された処理装置であって、前記少なくとも一つの回路記述、前記第１電力使用量データ及び前記第２電力使用量データを受信し、前記第１給電回路への前記第１電力配分装置インフィードおよび前記第２給電回路への前記第２電力配分装置インフィードの前記相互接続に基づいて、少なくとも前記第１電力使用量データおよび前記第２電力使用量データを集め、集められた前記電力使用量データを表現したものを出力するようにプログラムされた処理装置と
を備える、電力使用量監視システム。
【請求項２】
前記第１給電回路は、第１電線に関連付けられ、前記第２給電回路は、第２電線に関連付けられる、請求項１に記載の電力使用量監視システム。
【請求項３】
前記少なくとも一つの回路記述が、第１電力配分装置を前記第１給電回路に関連付け、第２電力配分装置を前記第２給電回路に関連付ける、請求項１に記載の電力使用量監視システム。
【請求項４】
前記処理装置が、前記電力使用量通信インターフェースを介して、ネットワークによって複数の電力配分装置と通信する、請求項１に記載の電力使用量監視システム。
【請求項５】
前記処理装置が、前記電力使用量通信インターフェースを介して、前記第１電力使用量データ、前記第２電力使用量データ、前記集められた電力使用量データの一つ以上が保存されるデータ記憶装置と通信する、請求項１に記載の電力使用量監視システム。
【請求項６】
前記集められた電力使用量データを表現したものが表示される表示装置をさらに備える、請求項１に記載の電力使用量監視システム。
【請求項７】
前記処理装置が、表示装置上にトレンドチャートを生成するためのデータポイントとして、前記集められた電力使用量データを表現したものを出力するようにプログラムされる、請求項１に記載の電力使用量監視システム。
【請求項８】
前記処理装置が、表示装置上に位相分布チャートを生成するためのデータポイントとして、前記集められた電力使用量データを表現したものを出力するようにプログラムされる、請求項１に記載の電力使用量監視システム。
【請求項９】
前記集められた出力電力使用量データを表現したものが送信されるネットワーク・インターフェースをさらに備える、請求項１に記載の電力使用量監視システム。
【請求項１０】
前記集められた電力使用量データを表現したものが電力使用量値を含む、請求項１に記載の電力使用量監視システム。
【請求項１１】
前記集められた電力使用量データを表現したものが電力使用量状態標識を含む、請求項１に記載の電力使用量監視システム。
【請求項１２】
前記第１電力使用量データが第１電力読み取り値を含み、前記第２電力使用量データが第２電力読み取り値を含む、請求項１に記載の電力使用量監視システム。
【請求項１３】
前記第１電力使用量データが第１電流読み取り値を含み、前記第２電力使用量データが第２電流読み取り値を含む、請求項１に記載の電力使用量監視システム。
【請求項１４】
前記処理装置が、グラフィカル・ユーザ・インターフェースを生成するようにさらにプログラムされ、前記グラフィカル・ユーザ・インターフェースが、前記回路記述受信インターフェースを表示装置のユーザに見せ、及び前記第１電力配分装置インフィードを前記第１給電回路に関連付け、前記第２電力配分装置インフィードを前記第２給電回路に関連付けるためのグラフィカルなツールを提供する、請求項１に記載の電力使用量監視システム。
【請求項１５】
前記第１給電回路は、第１電線に関連付けられ、前記第２給電回路は、第２電線に関連付けられる、請求項１に記載の電力使用量監視システム。
【請求項１６】
第１給電回路への電力配分装置の第１インフィードおよび第２給電回路への前記電力配分装置の第２インフィードの相互接続を記述する少なくとも一つの回路記述を受信する回路記述受信インターフェースと、
前記第１インフィードに関する第１電力使用量データおよび前記第２インフィードに関する第２電力使用量データを受信する電力使用量通信インターフェースと、
受信した少なくとも一つの前記回路記述、前記第１電力使用量データ及び前記第２電力使用量データを保存するメモリサブシステムと、
前記回路記述受信インターフェース、前記電力使用量通信インターフェースおよび前記メモリサブシステムと相互接続された処理装置であって、前記少なくとも一つの回路記述、前記第１電力使用量データ及び前記第２電力使用量データを受信し、前記第１給電回路への前記第１インフィードおよび前記第２給電回路への前記第２インフィードの前記相互接続に基づいて、少なくとも前記第１電力使用量データおよび前記第２電力使用量データを集め、集められた電力使用量データを表現したものを出力するようにプログラムされた処理装置と
を備える、電力使用量監視システム。
【請求項１７】
コンピュータによって実行されたとき、前記コンピュータに
第１電力配分装置インフィードに関する第１電力使用量データにアクセスさせる命令と、
第２電力配分装置インフィードに関する第２電力使用量データにアクセスさせる命令と、
第１給電回路への前記第１電力配分装置インフィードおよび第２給電回路への前記第２電力配分装置インフィードの相互接続を記述する保存された少なくとも一つの回路記述にアクセスさせる命令と、
前記第１給電回路への前記第１電力配分装置インフィードおよび前記第２給電回路への前記第２電力配分装置インフィードの前記相互接続に基づいて、少なくとも前記第１電力使用量データおよび前記第２電力使用量データを集めさせる命令と、
集められた電力使用量データを表現したものを出力させる命令と、
を保存する非一時的なコンピュータ可読媒体。
【請求項１８】
コンピュータによって実行されたとき、前記コンピュータに
電力配分装置の第１インフィードの第１電力使用量データにアクセスさせる命令と、
前記電力配分装置の第２インフィードの第２電力使用量データにアクセスさせる命令と、
第１給電回路への前記第１インフィードおよび第２給電回路への前記第２インフィードの相互接続を記述する保存された少なくとも一つの回路記述にアクセスさせる命令と、
前記第１給電回路への前記第１インフィードおよび前記第２給電回路への前記第２インフィードの前記相互接続に基づいて、少なくとも前記第１電力使用量データおよび前記第２電力使用量データを集めさせる命令と、
集められた電力使用量データを表現したものを出力させる命令と、
を保存する非一時的なコンピュータ可読媒体。
【請求項１９】
複数の電力配分装置のインフィードの第１組に関する第１電力使用量データにアクセスするステップと、
前記複数の電力配分装置のインフィードの第２組に関する第２電力使用量データにアクセスするステップと、
第１給電回路へのインフィードの第１組および第２給電回路へのインフィードの第２組の相互接続を記述する保存された回路記述にアクセスするステップと、
前記第１給電回路へのインフィードの前記第１組および前記第２給電回路へのインフィードの前記第２組の前記相互接続に基づいて、少なくとも前記第１電力使用量データおよび前記第２電力使用量データを集めることによって、前記複数の電力配分装置を前記第１給電回路および前記第２給電回路の電力使用量を監視するための電力使用量監視装置に転換するステップと、
集められた電力使用量データを表現したものを出力するステップと
を含む電力使用量を監視する方法。
【請求項２０】
第１電力配分装置インフィードに関する第１電力使用量データにアクセスする、
第２電力配分装置インフィードに関する第２電力使用量データにアクセスする、
第１給電回路への前記第１電力配分装置インフィードおよび第２給電回路への前記第２電力配分装置インフィードの相互接続を記述する少なくとも一つの回路記述にアクセスする、
前記第１給電回路への前記第１電力配分装置インフィードおよび前記第２給電回路への前記第２電力配分装置インフィードの前記相互接続に基づいて、少なくとも前記第１電力使用量データおよび前記第２電力使用量データを集める、及び
集められた電力使用量データを表現したものを出力する
ようにプログラムされたコンピュータを用意するステップを含む、電力使用量の監視を容易にする方法。
【発明の詳細な説明】
【背景技術】
【０００１】
[0001]データセンタなどのコンピュータ設備は、一般に標準のＲＥＴＭＡラックなどの電子装置ラックを含み、これらの電子装置ラックは、通常、キャビネット又はラックと呼ばれることがある長方形又は箱形のハウジング、機器を取り付けるための関連付けられた構成要素、関連付けられた通信ケーブル、及び関連付けられた配電ケーブルを備える。電子機器は、通常、様々な電子装置がラック内で垂直に重なって一列に並ぶように、そうしたラックに取り付けられる。しばしば、複数のそうしたラックは、隣り合わせに向きが揃えられ、それぞれが数多くの電子構成要素を収容し、ラックによって占有された領域内部に、及び外部に設置された相当量の関連付けられた構成要素の配線を有する。そうしたラックは、通常、コンピューティングネットワークで使用される機器を支持する。
【０００２】
[0002]多くの場合、サーバファーム又はデータセンタなどのコンピュータ設備は、企業ネットワークと呼ばれる、大きなネットワークを支援する。企業ネットワークは、大きな世界的な組織を支援するために存在し、技術、例えば、データ通信、フレーム・リレー・コントローラ、非同期転送モード（ＡＴＭ）スイッチ、ルータ、統合サービス・デジタルネットワーク（ＩＳＤＮ）コントローラ、アプリケーションサーバなどの相互接続装置、及びネットワーク管理アプリケーション・ソフトウェアの組み合わせに依存する。そうした企業ネットワークを使用して、世界中の大企業の支店又は拠点を支援することができ、そのため、これらのネットワークは、そうした組織が機能する上で不可欠になっている。多くの情報が交換されることが日常的に見込まれ、そうした情報交換は、現代の組織の日常業務を営むのに必要である。例えば、一部の国際的な銀行は、ヨーロッパ、アジア及び北アメリカの至る所に配置された何千もの支店を有し、各支店は、銀行取引を互いに、及びそれぞれの本社と素早く効率的に通信する各支店の能力に大きく依存する。典型的な企業ネットワークは、装置ラックに取り付けられたルータ及びフレーム・リレー・ネットワーク設備のビルディングブロックを使用する。そうした装置ラックは、特定のネットワーク内の遠隔の存在点（ｐｏｉｎｔ  ｏｆ  ｐｒｅｓｅｎｃｅ）（ＰＯＰ）の位置に分散される。各装置ラックは、例えば、フレーム・リレー・コントローラ、ルータ、ＩＳＤＮコントローラ、サーバ、ネットワーク接続記憶装置、モデムなどを含むことができ、これらのそれぞれが１つ又は複数の電源に接続される。
【０００３】
[0003]多くの装置ラックがデータセンタに設置されることがあり、各ラックが１つ又は複数の関連付けられた電力配分装置（ＰＤＵ）を有する。１つ又は複数のそうしたデータセンタは、企業のためのデータ通信ハブとして働くことができる。一方、２社以上の企業が単一のデータセンタのコンピュータ設備を使用することができる。いずれにしても、特定の企業及び／又は特定のデータセンタは、多数の装置ラック及び関連付けられたＰＤＵを有することができる。
【０００４】
[0004]従来のＰＤＵは、電源から電力を受け取り、１つ又は複数の別々の電気設備に電力を配分する電気コンセント（レセプタクルとも呼ばれる）の集合体である。各電気設備は、コンセントの１つ又は複数に差し込まれた１つ又は複数の電源コードを含む。また、ＰＤＵは、典型的には電源コードを有し、このコードを、従来型のプラグ及びレセプタクル接続を使用して、電源に直接ハード配線する又は電源に差し込むことができる。ＰＤＵは、多くの用途及び装置において、例えば、電子装置ラック内で又は電子装置ラック上などで使用される。１つ又は複数のＰＤＵは、通常、装置ラック又は他のキャビネット内に設置され、ＰＤＵに接続された他の装置、例えばＰＤＵハウジングの外部にある又はＰＤＵハウジングの内部に収容されることがある環境監視装置、温湿度センサ、ヒューズモジュール、又は通信モジュールと一緒に据え付けられてもよい。装置ラック又はキャビネットに取り付け可能なＰＤＵは、時々、キャビネットＰＤＵ又は略して「ＣＤＵ」と呼ばれることがある。
【０００５】
[0005]ＰＤＵは、ＰＤＵがその入力部若しくは出力部での電力使用量又は温度及び湿度のような環境条件を検知することができるセンサを備える。また、ＰＤＵは、ＰＤＵが電力使用量の状態及び環境条件をローカルに報告する又は表示することができる様々な表示装置、標識及びアラーム機構、並びにＰＤＵが電力使用量の状態及び環境条件をネットワーク電力マネージャ（すなわち、ネットワークを介してＰＤＵに接続された電力マネージャ）に報告する又は知らせることができる通信インターフェースを備える。このように、電力使用量及び環境情報を使用して、ＰＤＵ及びＰＤＵが電力を供給する機器の両方の電力使用量及び環境条件を監視することができる。場合によっては、ＰＤＵによって配分される電力も制御することができる（例えば、ＰＤＵの出口への電力をオフ又はオンすることができる）。
【０００６】
[0006]本発明の例示的な実施形態が図面に示される。
【図面の簡単な説明】
【０００７】
【図１】データセンタに収容されたサーバ、電気設備又は装置に電力がどのように配分されうるかについての例を提供する図である。
【図２】いくつかの電気装置ラックを収容するデータセンタに関するレイアウトの例を提供する図である。
【図３】図２に示すラックに取り付けられたＰＤＵのインフィード（ｉｎｆｅｅｄ）が数多くの給電回路にどのように接続されうるかを示す図である。
【図４】ラックマウントＰＤＵの例を提供する図である。
【図５】複数のラックマウントＰＤＵがネットワークによってネットワーク電力マネージャにどのように結合されうるかを示す図である。
【図６】電力使用量を監視するための方法の例を提供する図である。
【図７】電力使用量監視システムの例を提供する図である。
【図８】電力使用量監視システムによって使用されるグラフィカル・ユーザ・インターフェースの様々な画面イメージを示す図である。
【図９】電力使用量監視システムによって使用されるグラフィカル・ユーザ・インターフェースの様々な画面イメージを示す図である。
【図１０】電力使用量監視システムによって使用されるグラフィカル・ユーザ・インターフェースの様々な画面イメージを示す図である。
【図１１】電力使用量監視システムによって使用されるグラフィカル・ユーザ・インターフェースの様々な画面イメージを示す図である。
【図１２】電力使用量監視システムによって使用されるグラフィカル・ユーザ・インターフェースの様々な画面イメージを示す図である。
【図１３】電力使用量監視システムによって使用されるグラフィカル・ユーザ・インターフェースの様々な画面イメージを示す図である。
【図１４】電力使用量監視システムによって使用されるグラフィカル・ユーザ・インターフェースの様々な画面イメージを示す図である。
【図１５】電力使用量監視システムによって使用されるグラフィカル・ユーザ・インターフェースの様々な画面イメージを示す図である。
【図１６】コンピュータによって実行されたとき、コンピュータに電力使用量監視装置をインスタンス化させる命令を保存するコンピュータ可読媒体を示す図である。
【図１７】電力使用量監視を容易にする方法を示す図である。
【発明を実施するための形態】
【０００８】
[0017]電力を電力配分装置に供給する給電回路の電力使用量を監視するためのシステム、装置、方法及びソフトウェアが本明細書に開示される。場合によっては、電力配分装置は、データセンタの装置ラック内に又は装置ラック上に取り付けられることがあり、「ラックマウント電力配分装置」又は「ラックマウントＰＤＵ」と呼ばれることがある。
【０００９】
[0018]本明細書は、例を提供し、本発明の範囲、適用可能性、又は構成を限定することは意図されていない。むしろ、以降の説明は、当業者に、本発明の実施形態を実施するための実際的な説明を提供する。
【００１０】
[0019]本明細書に開示された手順及び要素の機能並びに配置は、様々に変更されてもよい。したがって、様々な実施形態は、必要に応じて、様々な手順又は要素を省略する、置き換える、或は追加することがある。例えば、開示された方法が記載したものと異なる順番で行われてもよく、様々なステップが追加され、省略され、又は組み合わせられてもよいことを理解されたい。また、ある実施形態に関して記載された態様及び要素は、様々な他の実施形態において組み合わせられてもよい。また、以下のシステム、方法、装置、及びソフトウェアは、個々に又は集合的に、より大きなシステムの構成要素であってもよく、他の手順又は要素が優先してもよく、又は他の方法でそれらの適用を修正してもよいことを理解されたい。
【００１１】
[0020]以下の特許及び特許出願、すなわち、２００８年１２月２６日に出願された「Ｐｏｗｅｒ  Ｄｉｓｔｒｉｂｕｔｉｏｎ，  Ｍａｎａｇｅｍｅｎｔ，  ａｎｄ  Ｍｏｎｉｔｏｒｉｎｇ  Ｓｙｓｔｅｍｓ  ａｎｄ  Ｍｅｔｈｏｄｓ」という題名の米国特許出願第１２／３４４，４１９号、及び２０１０年３月４日に出願された「Ｍｏｎｉｔｏｒｉｎｇ  Ｐｏｗｅｒ−Ｒｅｌａｔｅｄ  Ｐａｒａｍｅｔｅｒｓ  ｉｎ  ａ  Ｐｏｗｅｒ  Ｄｉｓｔｒｉｂｕｔｉｏｎ  Ｕｎｉｔ」という題名の米国特許出願第１２／７１７，８７９号は、その全体が参照により本明細書に組み込まれる。
【００１２】
[0021]図１は、データセンタに収容されたサーバ１０８、電気設備、又は装置に電力がどのように配分されうるかの例を提供する。本例において、電力は、電力会社からデータセンタへと受け取られ、入力開閉装置及び配電部品（例えば、電圧スイッチ、レギュレータ及び配電盤）を介して無停電電源装置（ＵＰＳ）１００に提供される。或は、電力は、バッテリバックアップ電源を介してＵＰＳ１００に提供される。
【００１３】
[0022]ＵＰＳ１００が受け取った電力は、典型的にはフロアマウントＰＤＵ１０２に送られ、このＰＤＵ１０２がいくつかの電気装置ラック１０６に取り付けられたサーバ１０８及び他の電気部品に電力を供給することができる。ＰＤＵ１０２の形態及び目的は、ラックマウントＰＤＵ１１０、１１２の形態及び目的と異なる。
【００１４】
[0023]フロアマウントＰＤＵ１０２によって提供される電力は、遠隔電力盤（ＲＰＰ）１０４又は基幹電力盤（ＣＰＰ）などの構造体で受け取られ配分される。ＲＰＰ１０４は、インフィードで電力を受け取り、電力を複数の（分岐回路としても知られている）給電回路に配分する。給電回路のそれぞれは、ＲＰＰ１０４の１つ又は複数の回路遮断器を介してＲＰＰ１０４のインフィードに接続される。給電回路は、単相又は多相（例えば、２相若しくは３相）の形態をとってもよく、単一のＲＰＰ１０４は、その受け取った電力（典型的には３相電力）を単相及び多相給電回路の様々な組み合わせの中に分割することができる。単相の給電回路（又は多相給電回路の単相電力）は、典型的には電力線と呼ばれる。したがって、単相の給電回路は、１つの電力線を提供し、２相の給電回路は、２つの電力線を提供し、３相の給電回路は、３つの電力線を提供する。
【００１５】
[0024]電力は、ＲＰＰ１０４から複数のラックマウントＰＤＵ１１０、１１２及び／又は他の電気部品に提供される。ラックマウントＰＤＵ１１０、１１２は、単相又は多相の形態をとってもよく、したがって、異なるタイプの給電回路に接続されてもよい。図１は、２つのＰＤＵ１１０、１１２が取り付けられた単一の電気装置ラック１０６のみを示すが、給電回路は、典型的にはいくつかの電気装置ラックに取り付けられたいくつかのＰＤＵに電力を提供する。ＰＤＵ１１０又は１１２のインフィード（本明細書で「ラックマウント電力配分装置インフィード」と呼ばれることがある）で受け取られた電力は、次に１つ又は複数のサーバ１０８、電気設備又は装置に配分される。
【００１６】
[0025]図２は、いくつかの電気装置ラック２０２、２０４、２０６、２０８、２１０、２１２、２１４、２１６、２１８、２２０、２２２、２２４を収容するデータセンタ２００の例示的なレイアウトを提供する。例示的なレイアウトは、１２の電気装置ラック２０２〜２２４を含むが、データセンタは、代替としてより多い又はより少ない電気装置ラックを収容することができる。典型的には、データセンタは、さらに多くの電気装置ラックを収容する。
【００１７】
[0026]例示的なレイアウトにおいて、４つの給電回路２２６、２２８、２３０、２３２は、２つのＲＰＰ２３４、２３６から取り出されている。給電回路２２６、２２８、２３０、２３２は、１２の電気装置ラック２０２〜２２４に電力を届ける。給電回路のうちの２つ２２６、２２８は、単相回路であり、給電回路のうちの２つ２３０、２３２は、３相回路である。図３に、電気装置ラック２０２〜２２４に取り付けられたＰＤＵのインフィード３００、３０２、３０４、３０６、３０８、３１０、３１２、３１４、３１６、３１８、３２０、３２２、３２４、３２６、３２８、３３０、３３２、３３４、３３６、３３８、３４０、３４２、３４４、３４６への給電回路２２６〜２３２の接続を示す。
【００１８】
[0027]典型的には、電気装置ラック２０２〜２２４（又はキャビネット）は、２つのＰＤＵを備え、電気装置ラック２０２〜２２４のそれぞれが異なる電源（例えば、ＲＰＰ２３４又は２３６）及び給電回路２２６〜２３２から電力を受け取る。図３を参照されたい。したがって、第１のＰＤＵは、第１の給電回路２３０から電力を受け取る「Ａ」インフィード３００を有することができ、第２のＰＤＵは、第２の給電回路２３２から電力を受け取る「Ｂ」インフィード３０２を有することができ、それによって、電気装置ラック２０２に独立した／異なる電源による電力冗長性を提供する。典型的には、ＰＤＵが故障した場合の冗長な電力の利用可能性を保証するために、電気装置ラック内に取り付けられた各ＰＤＵには、その電力処理容量の約４０％しか負荷がかけられない。
【００１９】
[0028]図４は、ラックマウントＰＤＵ４１８の例を示す。ＰＤＵ４１８は、通信機能、環境監視装置４２２、及び関連付けられたプラグ４２６を有する入力電源コード４２４を備える通信モジュール４２０とともに、インテリジェント電力モジュール（ＩＰＭ）４００を含む。本実施形態によるＰＤＵ４１８は、装置ラックに垂直に取り付け可能なハウジングを含むが、水平に取り付け可能なハウジングを含む他のフォームファクタが使用されてもよいことを理解されるであろう。ＩＰＭ４００は、それぞれ、電気装置ラックに取り付けられたアセットに電力を供給する８つのコンセント４０２〜４１６を含む。そうした装置ラックは、よく知られており、データセンタの運用において使用されるいくつかの個々のアセットをしばしば含む。よく知られているように、数多くの装置ラックがデータセンタに含まれることがあり、様々な実施形態において、各装置ラックの各アセットは、１つ又は複数の関連付けられたＩＰＭ４００によって電力使用量に関する監視が行われてもよい。（数字「５７」を表示して示される）視覚表示装置４２８は、ＰＤＵ４１８内に配置されているが、他の実施形態では、表示装置は、ＰＤＵ４１８の外部にあってもよく、又は設けられなくてもよい。
【００２０】
[0029]一実施形態において、電力コンセントモジュール４００は、ハウジングに収容された、それぞれがＮＥＭＡ  ５−２０Ｒタイプの８つのコンセント（４０２〜４１６）を含む。ＮＥＭＡ  ５−２０Ｒタイプのコンセントを有するとして本明細書に記載される本実施形態及び他の実施形態は、単に例示であることを理解されるであろう。他の実施形態において、様々な他のタイプのコンセントを、代替として又はさらに設けることができる。例えば、「コンセント」は、他のＮＥＭＡタイプ（例えば、ＮＥＭＡ  ５−１５Ｒ、ＮＥＭＡ  ６−２０Ｒ、ＮＥＭＡ  ６−３０Ｒ、若しくはＮＥＭＡ  ６−５０Ｒ）、又は様々なＩＥＣタイプ（例えば、ＩＥＣ  Ｃ１３若しくはＩＥＣ  Ｃ１９）のいずれであってもよい。また、特定の電力コンセントモジュール４００のすべての「コンセント」、又は本明細書に記載された他のモジュールコンセントは、同一である必要はなく、ＰＤＵ４１８に沿って一様に向きが揃えられている必要はないことを理解されるであろう。また、「コンセント」は、３極のレセプタクルに限定されず、或は、「コンセント」の１つ又は複数が、対になる雄型コネクタの２極又は４極以上に対して構成されうることを理解されるであろう。また、「コンセント」は、雌型極レセプタクルを有することに限定されないことを理解されるであろう。いずれの「コンセント」においても、「極レセプタクル」の１つ又は複数は、条件又は必要性に応じて、雄型又は雌型構成を有することができる。一般に、及び本明細書で使用されるように、雌型及び雄型「極レセプタクル」は、「電力接続要素」と名付けられる。さらに、本明細書に記載される原理は、コンセントモジュールにハード配線されうる装置にも適用可能である。本実施形態のコンセントモジュール４００は、８つのコンセントを含むが、これは一例に過ぎず、コンセントモジュールは、代替として異なる数のコンセントを含んでもよいことを理解されるであろう。
【００２１】
[0030]当業者には知られているように、コンセントモジュールのハウジングは、そうした装置にとって適切などんなハウジングであってもよく、ＰＤＵの他のモジュールとともに組み立てられてもよい。そうしたハウジングは、一般に前面部及び背面部を含み、ハウジングの前面部は実質的に平坦であり、ハウジングの背面部は実質的に平坦で、前面部と平行である。また、ハウジングは、長手方向に延在する側部及び横方向端部を含むことができる。前面部、背面部、側部、及び端部は、略長方形若しくは箱形構成で互いに略直角である。ハウジングは、例えば、剛性重合体（「プラスチック」）材料を含む、任意の適切な、典型的に剛性の材料から作られうる。少なくともある実施形態において、前面部及び背面部は、電気的に絶縁性の材料から作られるが、他の実施形態では、安全なグランド接合を行うために導電材料が使用される。側部及び端部は、任意選択で前面部又は背面部とともに、一体に形成されてもよい。さらに、本実施形態に記載されるコンセントモジュールは、ハウジングを含むが、他の実施形態は、ハウジングを含まないコンセントモジュールを含んでもよい。例えば、コンセントモジュールは、外部ハウジングを有さない互いに結合された多くのコンセントを含むことができ、さらにこれらのコンセントが別の機器内に据え付けられてもよい。
【００２２】
[0031]各コンセント４０２〜４１６は、多くのよく知られた接続スキーム、例えば、スペード、ラグ、プラグ、ねじを使用する接続スキームのいずれか、又は他の適切なタイプのコネクタによって電源に（直接又は間接的に）相互接続される。さらに、所望の場合は、これらの電気的コネクタの１つ又は複数は、電源コンセントモジュールがハウジングを含む実施形態において、ハウジングの内側に又はハウジングの外側に設置されてもよい。
【００２３】
[0032]場合によっては、ネットワーク通信インターフェースを有するラックマウントＰＤＵは、図５のブロック図に示すように、ネットワークによって（例えば、イーサネット（登録商標）又はインターネットによって）ネットワーク電力マネージャに結合されてもよい。複数のそうしたＰＤＵが、同じ又は異なる方法でネットワーク電力マネージャに結合されてもよい。このように、ＰＤＵの特性は、ネットワーク電力マネージャを使用して、ネットワークによって遠隔から構成され、監視され、又は制御されてもよい。ネットワーク電力マネージャは、デスクトップ若しくはノートブック・コンピュータ、サーバ、又はモバイルデバイス（例えば、電話機、タブレット若しくはパッド）に常駐するソフトウェアツールの形態をとってもよい。
【００２４】
[0033]図５を参照すると、ＰＤＵの例示的なブロック図が示され説明される。ＰＤＵ５００は、１つ又は複数の関連付けられたコンピューティングアセットに電力を供給する。ＰＤＵ５００は、コンピュータネットワーク５０２で使用可能であり、コンピュータネットワーク５０２によってネットワーク電力マネージャ５０４と通信することができる。ネットワーク電力マネージャ５０４は、データセンタの管理又は他の企業管理で使用されるサーバ、ワークステーション、若しくは他の装置に常駐してもよく、或は仮想化されてもよい。ネットワーク電力マネージャ５０４は、ネットワーク通信接続によってネットワークコマンドを発行する。本実施形態のＰＤＵ５００は、電源５０６、ＰＤＵ５００をＰＤＵ内の他のモジュールにネットワーク接続するようにインターフェースするアプリケーション・ファームウェア及びハードウェアを有するネットワーク・インターフェース・カード（ＮＩＣ）５０８、並びに電力マネージャ・エージェント・アプリケーション５１０を含む。ＰＤＵ５００は、配電タップに配置された複数の電源コンセント５１２、及びインテリジェントパワーモジュール（ＩＰＭ）５１４をさらに含む。ＩＰＭ５１４、ＮＩＣ５０８、及び電力マネージャ・エージェント５１０は、コンピュータネットワーク５０２に接続される。インテリジェントパワーモジュール５１４は、電源コンセント５１２の中の対応する電源コンセント（複数可）への入力電力からの電力の供給を制御し、電力マネージャ・エージェント・アプリケーション５１０と通信して対応する電源コンセントのうちの１つ又は複数に対して電力の供給及び電力サイクルのオン／オフを行う。また、ＩＰＭ５１４は、１つ又は複数のコマンドに応答して、対応する電源コンセント（複数可）に関する電力状態検知及び／又は負荷検知を行うことができる。本実施形態のＩＰＭ５１４は、対応する電源コンセントに供給される電力を制御するために使用されるマイクロプロセッサ５１６を含む。また、マイクロプロセッサ５１６は、対応する個々の電源コンセント（複数可）の電圧及び電流を検知する電圧検知装置５１８及び電流検知装置５２０に接続される。マイクロプロセッサ５１６は、この情報を使用して、以下でより詳細に説明するように、コンセントに供給される電力を決定する。また、マイクロプロセッサ５１６は、入力電圧検知装置５２２及び入力電流検知装置５２４を介して入力電源５０６からの電力測定値を受け取る。
【００２５】
[0034]図５のネットワーク電力マネージャ５０４は、電力マネージャ・エージェント５１０及びＩＰＭ５１４と通信する。ネットワーク電力マネージャ５０４は、ＩＰＭ５１４及び電力マネージャ・エージェント５１０から情報を受け取り、ＩＰＭ５１４及び電力マネージャ・エージェント５１０に命令を出すことができる。また、ネットワーク電力マネージャ５０４は、ＩＰＭ５１４から関連する電力測定値を受け取り、ＰＤＵ５００及びＰＤＵ５００の１つ又は複数の個々のコンセントと関連する電力情報（したがって、コンセントによって電力が供給される個々のアセットについての電力情報）を報告することができる。
【００２６】
[0035]図５に開示するように、及び米国特許出願第１２／３４４，４１９号にさらに開示するように、ネットワーク電力マネージャは、ＰＤＵの電力入力部（複数可）に関する電力使用量データを受け取り、この電力使用量データを使用してＰＤＵ及びその電力使用量を監視することができる。これには、例えば、ＰＤＵ内の電力位相のバランスを監視することが含まれてもよい。電力位相のバランスの監視は、例えば、ＰＤＵの電力使用量を低減させ、過熱の可能性を軽減する方法を理解するのに役立つ。数多くのＰＤＵに対して得られた電力使用量データを使用して、ＰＤＵ外部の電力使用量、例えば複数のＰＤＵに電力を供給する給電回路の電力使用量を監視するシステム、方法、ソフトウェア及び装置が本明細書に開示される。
【００２７】
[0036]場合によっては、ＰＤＵ５００は、他の構成要素又はモジュール、例えば、ヒューズモジュール、環境監視装置、及び通信モジュールを含むことができる。
【００２８】
[0037]図６は、電力使用量を監視するための方法６００の例を提供する。例として、本方法は、図５に示すネットワーク電力マネージャによって行われてもよい。ブロック６０２で、方法６００は、複数のラックマウント電力配分装置の電力配分装置インフィードに関する電力使用量データにアクセスする。電力使用量データは、例えば、複数のＰＤＵのインフィードで得られた電力読み取り値又は電流読み取り値を含むことができる。一実施形態において、電力使用量データは、図２及び３に示す電気装置ラックに含まれるＰＤＵのインフィードに関する電力使用量データを含んでもよい。ブロック６０４で、方法６００は、数多くの給電回路への電力配分装置インフィードの相互接続を記述する保存された回路記述にアクセスする。一実施形態において、回路記述は、図３に示すＰＤＵインフィードと給電回路との相互接続を記述することができる。
【００２９】
[0038]ブロック６０６で、方法６００は、複数のラックマウント電力配分装置を給電回路の電力使用量を監視するための電力使用量監視装置に転換する。転換は、数多くの給電回路へのラックマウント電力配分装置インフィードの相互接続に基づいて電力使用量データの少なくとも一部を集めることによって達成される。例えば、一実施形態において、電力使用量データは、図３に示す個々のそれぞれの給電回路のインフィードに対してそれぞれ集められる。また、電力使用量データは、特定の電力線へのＰＤＵインフィードの相互接続に基づいて集められてもよい。電力線ごとに電力使用量データを集めることは、多相の給電回路の位相間での電力配分（例えば、電力のバランス又はアンバランス）を決定する際に特に役立つ可能性がある。例として、電力使用量データは、電力使用量データを加算することによって集められてもよい。
【００３０】
[0039]ブロック６０８で、方法６００は、集められた電力使用量データを表現したものを出力する。集められた電力使用量データを表現したものの出力は、表現したものを表示する、保存する、又は送信する形態をとってもよい。集められた電力使用量データを表現したものは、異なる形態をとってもよく、ある場合には、電力使用量値（例えば、電力使用量値のアナログ若しくはデジタル表現）、或は電力使用量状態標識（例えば、電力が使用されていること、又は使用量のしきい値を満たした若しくは超過したことを示すアナログ若しくはデジタル表現）を含んでもよい。言及したように、集められた電力使用量データは、電力線又は給電回路に関する電力使用量を伝えることができる。或は、電力使用量データは、単一のＰＤＵ、単一のキャビネット、一列のキャビネットのインフィード、又はインフィード若しくはＰＤＵのその他の組み合わせに対して集められてもよい。
【００３１】
[0040]図７は、回路記述受信インターフェース７０２、電力使用量通信インターフェース７０４、メモリサブシステム７０６、及び処理装置７０８を備える電力使用量監視システム７００の例を提供する。例として、電力使用量監視システム７００は、ネットワーク電力マネージャ７１０、例えば図５に示すネットワーク電力マネージャの一部であるとして示されている。
【００３２】
[0041]回路記述受信インターフェース７０２は、数多くの給電回路へのラックマウント電力配分装置インフィードの相互接続を記述する数多くの回路記述を受信する。電力使用量通信インターフェース７０４は、ラックマウント電力配分装置インフィードに関する電力使用量データを受信する。メモリサブシステム７０６は、受信した回路記述及び電力使用量データを保存する。
【００３３】
[0042]処理装置７０８は、回路記述受信インターフェース７０２及び電力使用量通信インターフェース７０４と相互接続され、数多くの回路記述及び電力使用量データを受信するようにプログラムされる。場合によっては、インターフェース７０２、７０４は、少なくとも一部が、１つ又は複数の異なる物理的状態を呈するように処理装置７０８を構成又はプログラムすることによって提供されてもよい。また、処理装置７０８は、数多くの給電回路へのラックマウント電力配分装置インフィードの相互接続に基づいて電力使用量データの少なくとも一部を集めるようにプログラムされる。処理装置７０８は、集められた電力使用量データを表現したものを出力するようにさらにプログラムされる。
【００３４】
[0043]一部の実施形態において、処理装置７０８及びインターフェース７０２、７０４の一部又はすべては、共通の集積回路又はプリント回路板の一部として、或は共通の集積回路又はプリント回路板上に設けられてもよい。また、メモリサブシステム７０６の一部又はすべては、集積回路又はプリント回路板上に設けられてもよい。或は、電力使用量を監視するシステム７００の各要素は、別々の構成要素であるが、相互接続された構成要素として設けられてもよい。例として、処理装置７０８は、１つ又は複数のマイクロプロセッサ、デジタルシグナルプロセッサ、又はマイクロコントローラの形態をとってもよい。また、例として、メモリサブシステム７０６は、メモリ及びメモリコントローラの両方を備えてもよい。メモリは、例えば、ランダムアクセスメモリ（ＲＡＭ）、磁気ＲＡＭ、読み取り専用メモリ（ＲＯＭ）、磁気ディスク記憶媒体、光記憶媒体、フラッシュメモリ装置、メインメモリ、コアメモリ、キャッシュメモリ、又は情報を保存する他のコンピュータ可読媒体を含む、データを保存するための１つ又は複数の装置を備えてもよい。一部の実施形態において、電力使用量監視システム７００の構成要素は、適用可能な機能の一部又はすべてをハードウェアで実施するように構成された１つ又は複数の特定用途向け集積回路（ＡＳＩＣ）を用いて、個々に又は集合的に実施されてもよい。或は、各機能は、１つ又は複数の集積回路上の１つ又は複数の他の処理装置（若しくはコア）によって行われてもよい。他の実施形態において、当技術分野で知られている任意の方法でプログラムすることができる他のタイプの集積回路（例えば、構造化／プラットフォームＡＳＩＣ、フィールドプログラマブルゲートアレイ（ＦＰＧＡ）及び他のセミカスタムＩＣ）が使用されてもよい。また、各装置の機能は、メモリ内で具現化され、１つ又は複数の汎用若しくは特定用途処理装置によって実行されるようにフォーマットされた命令によって、全体又は一部が実施されてもよい。
【００３５】
[0044]一部の実施形態において、電力使用量監視システム７００の各要素の一部又はすべては、図５に示すネットワーク電力マネージャの一部として設けられてもよく、ＰＤＵ内部及び外部の（例えば、ＰＤＵ内部の分岐回路に関する、及びＰＤＵ外部の給電回路に関する）電力使用量監視を容易にする構造及び機能性を提供することができる。また、電力使用量監視システム７００の各要素は、ネットワーク電力マネージャを介してＰＤＵを遠隔から構成、監視、又は制御するための構造及び機能性を提供することができる。場合によっては、電力使用量監視システム７００の各要素は、サーバコンピュータの要素として提供されてもよい。
【００３６】
[0045]回路記述受信インターフェース７０２は、ある場合には、ラックマウント電力配分装置インフィードを給電回路に直接関連付ける回路記述を受信することができる。他の場合には、回路記述は、ラックマウント電力配分装置インフィードを間接的に給電回路に関連付けてもよい。例えば、回路記述は、ＰＤＵインフィードを給電回路の特定の電力線に関連付けることができ、又は回路記述は、ＰＤＵを給電回路に関連付けることができる。これらの事例では、処理装置は、給電回路と給電回路の各電線との相関関係に、又はＰＤＵとＰＤＵインフィードとの相関関係にアクセスする、或はそれらの相関関係を取得するようにプログラムされてもよい。
【００３７】
[0046]処理装置７０８は、電力使用量通信インターフェース７０４を介して、ネットワークによって数多くのＰＤＵと通信することができる。このように、処理装置７０８は、ＰＤＵからの電力使用量データを取得／受信することができる。処理装置７０８は、また若しくは或は、電力使用量データの一部又はすべてが保存されるデータ記憶装置と（電力使用量通信インターフェース７０４を介して）通信することができる。
【００３８】
[0047]一部の実施形態において、電力使用量監視システム７００は、集められた電力使用量データを表現したものが表示される表示装置をさらに備えることができる。例として、表示装置は、陰極線管（ＣＲＴ）、液晶表示装置（ＬＣＤ）、デスクトップ若しくはラップトップ・コンピュータ表示装置、又は携帯電話表示装置を含んでもよい。場合によっては、処理装置７０８は、集められた電力使用量データを表現したものを、表示装置にトレンドチャートを生成するためのデータポイントとして、又は表示装置に位相分布チャートを生成するためのデータポイントとして出力するようにプログラムすることができる。そうしたトレンドチャート及び位相分布チャートについての特定の例が、本明細書において後ほど提供される。
【００３９】
[0048]集められた電力使用量データを表現したものは、ローカルの又は遠隔のユーザに伝えられてもよい。例えば、表現したものは、ネットワーク電力マネージャを提供するサーバにローカルに存在する表示装置に表示されてもよく、又は、表現したものは、遠隔コンピュータ若しくは携帯電話によって表示するためネットワークによって送信されてもよい。
【００４０】
[0049]集められた電力使用量データを表現したものは、例えば、電力使用量値又は電力使用量状態標識を含んでもよい。電力使用量値は、例えば、装置を含む若しくは含まない、電力又は電流の値を含むことができる。電力使用量状態標識は、例えば、単一ビット若しくは多ビットの状態記述子、或は発光ダイオード（ＬＥＤ）状態標識、音響警報、又は表示装置内部に含まれる状態標識をセット若しくはリセットする命令を含んでもよい。
【００４１】
[0050]図８〜１５は、グラフィカル・ユーザ・インターフェース（ＧＵＩ）８２０の画面イメージ８００、９００、１０００、１１００、１２００、１３００、１４００、１５００を示す。ＧＵＩ８２０は、電力使用量監視システムによって、又は電力使用量監視システムに関連して提供されてもよい。画面イメージのうちのいくつかは、電力使用量監視システムの回路記述受信インターフェースの一部と考えられてもよい（又は、回路記述受信インターフェースをユーザに見せると考えられてもよい）。これらの画面イメージ（例えば、図８〜１３に示す画面イメージ）は、ユーザがＰＤＵインフィードを給電回路及び／又は給電回路の電線に関連付けることができるようにさせるグラフィカルなツールを提供することができる。図１４及び１５に示す画面イメージは、電力使用量監視システムの出力インターフェースの一部と考えられてもよい。
【００４２】
[0051]図８は、新回路（Ｎｅｗ  Ｃｉｒｃｕｉｔ）アイコン８０２をグラフィカルに選択して（又は押して）、ＧＵＩ８２０を介して新しい回路記述を入力する処理を開始することができる画面イメージ８００を示す。図９は、新回路ボタン８０２を押した後にポップアップする新回路画面９００を示す。新回路画面９００は、新しい給電回路の名前を受け取るためのテキストフィールド９０２を含む。また、新回路画面９００は、回路タイプ（Ｃｉｒｃｕｉｔ  Ｔｙｐｅ）を選択するためのドロップダウン選択ツール９０４を含む。図１０の画面イメージ１０００に示すように、回路タイプの選択は、単相（Ｓｉｎｇｌｅ  Ｐｈａｓｅ）回路タイプ及び３相（３Ｐｈａｓｅ）回路タイプを含むことができる。３相回路タイプを選択すると、３相回路への、ＰＤＵインフィードの３相（筐体（Ｅｎｃｌｏｓｕｒｅ））、２相（ＸＹ、ＹＺ、若しくはＺＸ）、又は単相（電線１、電線２、電線３）接続を選択するためのドロップダウン選択ツール１１０２が提供されうる。図１１を参照されたい。３相回路に含まれる様々な電線に関するカスタム名を受け取るための電線名テキストフィールド１１０４、１１０６、１１０８を提供することができる。筐体（例えば、ラック又はＣＤＵ）が明示される場合、筐体が３相回路に接続される方法は、ネットワーク電力マネージャによって維持される、検索される、又はネットワーク電力マネージャに入力される情報から検索されてもよい。単相回路タイプ（図１２参照）を選択すると、単相回路がどの主たる入力電力線から取り出されるかを選択するためのドロップダウン選択ツール１２０２、並びに単相回路に含まれる単相の電線の名称を受け取るための電線名（Ｌｉｎｅ  Ｎａｍｅ）テキストフィールド１２０４をユーザに提供することができる。
【００４３】
[0052]一旦回路タイプ及び電線が選択されると、ユーザは、提供された、又は発見されたインフィードのリスト１３０２から１つ又は複数のインフィードを選択することができる。例えば、図１３に示す画面イメージ１３００を参照されたい。選択されたインフィード１３０４は、組み込まれたウィンドウ１３０６にドラッグアンドドロップされ、それによって、インフィードと選択された回路及び電線との間に接続が存在することを示すことができる。組み込まれたインフィードの組を保存すると、組み込まれたウィンドウ１３０６にリストされたインフィードに接続された電線及び装置が回路コンテンツウィンドウ（Ｃｉｒｃｕｉｔ  Ｃｏｎｔｅｎｔｓ  ｗｉｎｄｏｗ）１３０８に読み込まれる。例として、インフィードは、それらのインフィード名及び対応するＣＤＵ名によってインフィード１３０２のリスト中で識別される。例示的な画面では、ＣＤＵ名は、ＣＤＵのインターネットプロトコル（ＩＰ）アドレスの形態をとる。インフィード名は、例えば、特定の時間関係を有する２回のマウスクリックを使用して、最初にインフィード名を選択することによって変えられてもよい。図１３は、数多くのＰＤＵインフィード（例えば、ＴｏｗｅｒＡ＿ＩｎｆｅｅｄＡ）と特定の給電回路（例えば、Ｄｅｍｏ  Ｃｉｒｃｕｉｔ）の特定の電力線（例えば、Ｌｉｎｅ１）との間の相互接続の仕様を示す。
【００４４】
[0053]図８〜１３に示す画面を用いて、数多くの回路記述を電力使用量監視システムのＧＵＩ８２０にどのように入力することができるかについて説明したが、ここで電力使用量を監視するための２つの画面１４００、１５００について説明する。図１４は、これらの画面の最初の画面を示す。画面１４００は、ｄｏｎ＿Ａ＿ｔｅｓｔ回路に関するサマリのタブ／フレーム１４０２を提供する。フレーム１４０２は、回路情報（Ｃｉｒｃｕｉｔ  Ｉｎｆｏｒｍａｔｉｏｎ）１４０４、回路直近事象（Ｃｉｒｃｕｉｔ  Ｒｅｃｅｎｔ  Ｅｖｅｎｔｓ）１４０６、電線分布（Ｌｉｎｅ  Ｄｉｓｔｒｉｂｕｔｉｏｎ）１４０８、トレンド（Ｔｒｅｎｄ）１４１０及び回路コンテンツ（Ｃｉｒｃｕｉｔ  Ｃｏｎｔｅｎｔｓ）１４１２とラベル付けされたサブフレームを含む。回路情報サブフレーム１４０４は、例えば、回路の名前（Ｎａｍｅ）、回路がバランスの取れていない（Ｏｕｔ  ｏｆ  Ｂａｌａｎｃｅ）割合（３相回路タイプの場合）、並びに回路状態（Ｃｉｒｃｕｉｔ  Ｓｔａｔｕｓ）、電流状態（Ｃｕｒｒｅｎｔ  Ｓｔａｔｕｓ）及び電力状態（Ｐｏｗｅｒ  Ｓｔａｔｕｓ）の標識を提供する。回路直近事象サブフレーム１４０６は、対象とする最近の回路事象、例えば発生したアラーム（Ａｌａｒｍ）をリストする。電線分布（Ｌｉｎｅ  Ｄｉｓｔｒｉｂｕｔｉｏｎ）サブフレーム１４０８は、電流及び電力の両方について位相分布チャートを提供する。この情報は、異なる位相間の電力の負荷をバランスさせるのに特に役立つ。トレンドサブフレーム１４１０は、トレンドチャートを提供し、例として、ある時間にわたる回路全電力（Ｃｉｒｃｕｉｔ  Ｔｏｔａｌ  Ｐｏｗｅｒ）を示す。トレンドチャートは、ＰＤＵ及び／又はＰＤＵの電力供給される機器が、（例えば、ピークの及びピークでない利用時間における）様々な度合に応じて電源が投入される、電源が落とされる、又は使用される影響を分析するのに役立つ。この情報は、容量プラニングに特に役立つ。回路コンテンツサブフレーム１４１２は、回路の電力線当たりの全電力及び全電流のサマリを提供し、各電力線のコンテンツ（例えば、インフィード）を展開する又は折りたたむための展開可能なメニューを提供する。トレンド（Ｔｒｅｎｄ）及び電線分布（Ｌｉｎｅ  Ｄｉｓｔｒｉｂｕｔｉｏｎ）タブ１４１４、１４１６は、それぞれ、拡大された若しくは代替のトレンド及び電線分布チャート又は情報を見るために選択されてもよい。
【００４５】
[0054]図１５に示す画面１５００は、「Ｌｉｎｅ３」という名前の単一の電力線に関するサマリ（Ｓｕｍｍａｒｙ）タブ／フレーム１５０２を提供する。フレーム１５０２は、電線情報（Ｌｉｎｅ  Ｉｎｆｏｒｍａｔｉｏｎ）１５０４、電線直近事象（Ｌｉｎｅ  Ｒｅｃｅｎｔ  Ｅｖｅｎｔ）１５０６、トレンド（Ｔｒｅｎｄ）１５０８、及び電線コンテンツ（Ｌｉｎｅ  Ｃｏｎｔｅｎｔ）１５１０とラベル付けされたサブフレームを含む。電線情報サブフレーム１５０４は、例えば、電線の名前（Ｎａｍｅ）、電線が属する回路（Ｃｉｒｃｕｉｔ）の名前、電線状態（Ｌｉｎｅ  Ｓｔａｔｕｓ）、並びに電流状態（Ｃｕｒｒｅｎｔ  Ｓｔａｔｕｓ）及び電力状態（Ｐｏｗｅｒ  Ｓｔａｔｕｓ）の標識を提供する。電線直近事象サブフレーム１５０６は、対象とする最近の電線事象、例えば、発生したアラーム（Ａｌａｒｍ）をリストする。トレンドサブフレーム１５０８は、トレンドチャートを提供し、例として、ある時間にわたる例示的な電線全電力（Ｌｉｎｅ  Ｔｏｔａｌ  Ｐｏｗｅｒ）を示す。トレンドチャートは、ＰＤＵ及び／又はＰＤＵの電力供給される機器が、（例えば、ピークの及びピークでない利用時間における）様々な度合に応じて電源が投入される、電源が落とされる、又は使用される影響を分析するのに役立つ。電線コンテンツサブフレーム１５１０は、選択された電力線に接続されたインフィードごとに使用される全電力及び全電流のサマリを提供する。トレンドタブ１５１２は、拡大された若しくは代替のトレンドチャート又は情報を見るために選択されてもよい。
【００４６】
[0055]場合によっては、図８〜１５に示すＧＵＩ８２０は、図７に示す処理装置７０８によって生成されてもよい。この説明のために、ＧＵＩは、処理装置がＧＵＩの生成に、より高いレベル又はより低いレベルの役割を果たすかどうかには無関係に処理装置によって生成されると考えられる。例えば、処理装置は、ＧＵＩの画面イメージの実質的部分又はすべてを組み立てる及び出力することによって表示装置に表示することができるＧＵＩを生成してもよい。他の実施形態において、例えば、処理装置は、メモリ、ビデオ又は他のサブシステムに適切なときに適切な画面イメージを組み立てさせる若しくは出力させる命令を単に提供してもよい。
【００４７】
[0056]場合によっては、電力使用量監視装置をインスタンス化するソフトウェア、ファームウェア、ミドルウェア、マイクロコード、ハードウェア記述言語がコンピュータ可読媒体１６００上に提供されてもよい。図１６を参照されたい。特に、コンピュータ可読媒体１６００は、コンピュータによって実行されたとき、コンピュータに以下を行わせる命令１６０２、１６０４、１６０６、１６０８を保存することができる。すなわち、１）ラックマウント電力配分装置インフィード１６０２の（例えば、ネットワークによって、又はデータベースの）電力使用量データにアクセスさせる、２）数多くの給電回路１６０４へのラックマウント電力配分装置インフィードの相互接続を記述する、（例えば、データベース内の）保存された回路記述にアクセスさせる、３）数多くの給電回路１６０６へのラックマウント電力配分装置インフィードの相互接続に基づいて電力使用量データの少なくとも一部を集めさせる、及び４）集められた電力使用量データ１６０８を表現したものを出力させることである。この説明のために、「コンピュータ」は、命令を実行することができる装置、例えば、限定されないが、他のＰＤＵから電力使用量データを受信するサーバ、ワークステーション、パーソナルコンピュータ、携帯電話、タブレットコンピュータ又はマスターＰＤＵなどの任意のシステムである。「コンピュータ可読媒体」は、限定されないが、ポータブル若しくは固定記憶装置、光記憶装置、ワイヤレスチャンネル、ＳＩＭカード、他のスマートカード、及び命令若しくはデータを収容する、担持する、又は保存することができる様々な他の媒体を含む、コンピュータによって実行可能な命令を保存することができる任意の媒体である。これらのコンピュータ可読媒体のうちのいくつかは、非一時的である。
【００４８】
[0057]場合によっては、給電回路の電力使用量監視を容易にする方法１７００は、以下のようにプログラムされたコンピュータ１７０２を用意することを含んでもよい。すなわち、１）ラックマウント電力配分装置インフィード１７０４の電力使用量データにアクセスする、２）数多くの給電回路１７０６へのラックマウント電力配分装置インフィードの相互接続を記述する回路記述にアクセスする、３）数多くの給電回路１７０８へのラックマウント電力配分装置インフィードの相互接続に基づいて電力使用量データの少なくとも一部を集める、及び４）集められた電力使用量データ１７１０を表現したものを出力するである。図１７を参照されたい。
【００４９】
[0058]本明細書に記載されたシステム、装置、方法、及びソフトウェアは、データセンタ内の装置ラックに電力を供給する給電回路の電力使用量を監視するのに役立つだけでなく、１つ又は多くの電気装置ラックに給電する電力システムの物理的な基盤施設をマッピングし管理するのにも役立ち、それによってユーザが、電力システムの過負荷、利用不足、又はアンバランスなどの状態の結果としての効率のロスがどこに存在するかを判断することができる。これらの状態は、ＰＤＵレベルに、キャビネットレベルに、一列のキャビネット内に、あるゾーン内に、又はユーザが規定するその他のグループ、レベル若しくは場所に存在する可能性があり、監視されうる。
【００５０】
[0059]本明細書で提供された例は、ラックマウントＰＤＵに電力を供給する給電回路に関する電力使用量監視に注目したが、本明細書の教示は、他のタイプの給電回路、例えば、フロアマウントの及び他のタイプのＰＤＵに電力を供給する給電回路に関する電力使用量監視にも適用される。とは言うものの、特有の利点は、ラックマウント電力配分装置インフィードの電力使用量データを集めることによって実現されうる。例えば、ラックマウントＰＤＵは、典型的には電力配分システムの最も下流のＰＤＵであり、したがって、これらのＰＤＵを流れる電力は、全体の電力供給チェーンを流れる電力によって影響を受ける。さらに、例えば、ラックマウントＰＤＵは、データセンタ又は同様の設備において最も多数のタイプのＰＤＵとなる傾向がある。したがって、これらのＰＤＵの多数のインフィードにおいてデータを収集することによって、データセンタ内の電力の分布及びバランスを評価するための最多のデータポイントが得られる。
【００５１】
[0060]上で論じた方法、システム、装置、及びコンピュータ可読媒体は、単に例であることが意図されていることに留意されたい。様々な実施形態は、必要に応じて様々な手順又は構成要素を省略する、置き換える、又は追加することができることが強調されなければならない。例えば、代替の実施例において、方法が記載したものと異なる順番で行われ、様々な手順が追加され、省略され、又は組み合わせられてもよいことを理解されたい。また、ある実施形態に関して記載された特徴は、様々な他の実施形態において組み合わせられてもよい。実施形態の異なる態様及び要素は、同様の方法で組み合わせられてもよい。また、技術は進展し、したがって、要素の多くが本来例示であり、本発明の範囲を限定すると解釈されるべきでないことが強調されなければならない。
【００５２】
[0061]実施形態についての完全な理解を提供するために、特定の詳細が提供されている。しかし、実施形態がこれらの特定の詳細なしに実行されうることを当業者は理解されるであろう。例えば、よく知られた回路、処理、アルゴリズム、構造、及び技法は、実施形態を不明瞭にしないようにするために不必要な詳細なしに示された。
【００５３】
[0062]また、ある実施形態が流れ図又はブロック図を用いて記載されていることに留意されたい。それぞれが連続して生じる手順又は動作について記載することがあるが、手順又は動作の多くは、並列に又は同時に行われてもよい。加えて、手順又は動作の順番は、再配置されてもよい。また、処理は、図に含まれていない追加のステップを有してもよい。
【００５４】
[0063]さらに、実施形態は、ハードウェア、ソフトウェア、ファームウェア、ミドルウェア、マイクロコード、ハードウェア記述言語、又はそれらの任意の組み合わせによって実施されてもよい。ソフトウェア、ファームウェア、ミドルウェア、又はマイクロコードにおいて実施される場合、必要なタスクを行うプログラムコード又はコードセグメントは、コンピュータ可読媒体に保存されてもよい。処理装置は、必要なタスクを行うことができる。
【００５５】
[0064]いくつかの実施形態について記載したが、本発明の精神から逸脱することなく様々な変更形態、代替構造及び均等物が使用されてもよいことを当業者は認識されるであろう。例えば、上記の要素は、より大きなシステムの構成要素に過ぎなくてもよく、他の規則が本発明の適用に優先し、又は他の方法で本発明の適用を修正してもよい。また、数多くのステップは、上記の要素を考慮する前に、間に、又は後に着手されてもよい。したがって、上記の説明は、本発明の範囲を限定すると解されるべきではない。
【図１】
0005963938.tif 000002
【図２】
0005963938.tif 000003
【図３】
0005963938.tif 000004
【図４】
0005963938.tif 000005
【図５】
0005963938.tif 000006
【図６】
0005963938.tif 000007
【図７】
0005963938.tif 000008
【図８】
0005963938.tif 000009
【図９】
0005963938.tif 000010
【図１０】
0005963938.tif 000011
【図１１】
0005963938.tif 000012
【図１２】
0005963938.tif 000013
【図１３】
0005963938.tif 000014
【図１４】
0005963938.tif 000015
【図１５】
0005963938.tif 000016
【図１６】
0005963938.tif 000017
【図１７】
0005963938.tif 000018